(57)【要約】【課題】和服の裁断及び縫製に習って作成される作務衣は直線で構成され曲線から成る人の体には添いにくいものであった。そこで作務衣の良さである、直線で構成されたシンプルな外観を残しつつ、肥満体形の人あるいは女性であってもその人の体形に合わせて快適に着用することができる作務衣上衣を提供することを目的とする。また、従来は前身頃に設けられていたポケットを脇の布地に設けて、前かがみになっても邪魔にならず、内容物の落下も防ぐのである。【解決手段】  一般的な作務衣の型紙を使用しながら、着用者の体形に合わせた形状の布地を前身頃と後身頃の間の体側部又は袖下あるいはその両方に挟み込んで縫製するのである。さらに、裾のスリットを身頃の体側部に挟み込む布地と後身頃との間に設け、体側部に挟み込む布地にポケットと、タオル掛け用の紐を設けるのである。【選択図】図２
2019194380.tif 000002
【特許請求の範囲】
【請求項１】
前身頃と後身頃の間の体側部又は袖下に、又はその両方に布地を挟み込んで縫着したことを特徴とする作務衣の上衣。
【請求項２】
布地が略長方形状であることを特徴とする請求項１記載の作務衣の上衣。
【請求項３】
布地が台形形状であることを特徴とする請求項１記載の作務衣の上衣。
【請求項４】
前身頃と後身頃の間に挟み込んだ布地にポケットを取り付けたことを特徴とする請求項２又は３記載の作務衣の上衣。
【請求項５】
前身頃と後身頃の間に挟み込んだ布地にタオル掛けとなる紐を架け渡し形成したことを特徴とする請求項２ないし４記載のいずれかに記載した作務衣の上衣。
【請求項６】
裾のスリットを布地と後身頃の間に設けたことを特徴とする請求項２ないし５の内いずれかに記載の作務衣の上衣。
【発明の詳細な説明】
【技術分野】
【０００１】
この発明は作務衣に関する。特に肥満体形の人に適した作務衣上衣に関するものである。
【背景技術】
【０００２】
作務衣は僧侶が作業や雑事を行う際に着用する衣服であるが、動きやすさや和服風の外観などに趣があることから広く一般に着用されている。また、その素朴な外観からデザインもシンプルでどの作務衣であってもほぼ同一形状であり、特に肥満体形の人が体裁よく着用できる作務衣はなかった。
【０００３】
作務衣上衣は、上前身頃及び下前身頃に取り付けた紐とこれらに対応する位置の脇下内外に取り付けたそれぞれの紐とを結び合わせて着用するが、紐の取り付け位置が衿元部から離れた位置にあるため、衿元がはだけやすい。そこで衿の交差部近傍に着脱自在な係合具を取り付けた発明がある（特許文献１）。
【０００４】
また、元来和服の製法に基づいて縫製されている作務衣は、平面的に裁断された生地を直線的な縫い目によって縫着されており、曲線で構成されている立体的な人の体には沿い難く着崩れしやすいものであった。そこで洋服の様式で縫製された作務衣の考案がある（特許文献２）。
【先行技術文献】
【特許文献】
【０００５】
【特許文献１】特開２００３−１６６１０１号公報
【特許文献２】実用新案登録第３０８５１２２号公報
【発明の概要】
【発明が解決しようとする課題】
【０００６】
元来、寺社における修行僧の作業着として着用されてきた作務衣は和服の裁断及び縫い方で仕上げされているために、立体的である体には合わせにくく着崩れが生じやすかった。
【０００７】
特許文献１の発明は衿元がはだけるのを防ぐことができるが、立体的な人体に合わせるようなデザイン上の工夫はされていない。また特許文献２の発明は洋風なデザインが取り入れられているが、作務衣本来の素朴な外観が失われ、また、特に肥満体形の人のために工夫されたデザインとはなっていない。
【０００８】
一般的に肥満体形の人はサイズの大きな作務衣を購入することになるが、肥満体形といっても一律ではなく、腹部が出っ張っていたり、胸板が厚かったりと個人差がある。また、ダーツなどが取られていないため肥満体形ではなくても女性が着用すると胸がきつく感じることもあった。
【０００９】
ところがデザインに多様性がないため、フリーサイズを着用したり、窮屈な場合はさらに大きなサイズを着用せざるを得なかった。これでは、サイズがぴったりの箇所とダボつく箇所があって着心地が悪く、見た目にもスマートな印象ではない。
【００１０】
そこで本願では、作務衣の良さである、直線で構成されたシンプルな外観を残しつつ、肥満体形の人あるいは女性であってもその人の体形に合わせて快適に着用することができ
る作務衣上衣を提供することを目的とする。
【課題を解決するための手段】
【００１１】
上記課題を解決するために本願では一般的な作務衣の型紙を使用しながら、着用者の体形に合わせた形状の布地を前身頃と後身頃の間の体側部又は袖下あるいはその両方に挟み込んで縫製するのである。
【００１２】
また、裾のスリットを身頃の体側部に挟み込む布地と後身頃との間に設け、体側部に挟み込む布地にポケットと、タオル掛け用の紐を設けるのである。
【発明の効果】
【００１３】
肥満体形の人用の作務衣であっても全体のサイズを大きくするのではなく、体側部分に布地を挟み込むことで体の厚みをカバーするためだぶつかず、前後からは布地が見えないのでサイズアップしたようには見えずに全体としてスッキリとした印象を与える。
【００１４】
体側部に布地を挿入することで和服の縫製方法に洋服の立体形状を取り入れ、人の体により添う形状を実現し、着心地良くするとともに作業着としても機能的になっている。
【００１５】
結び紐の端部を脇中心ではなく、前身頃に縫着したため脇に布地を挟み込んだ分紐が体の前方に位置し、従来の作務衣のように脇中心まで手を伸ばす必要がなく着用しやすい。特に肥満体形の人は大きなおなかの前から手をまわして脇まで手を伸ばすことがきつかったが、本願の作務衣の結び紐は結びやすくなっている。
【００１６】
通常は脇中心に位置した身頃裾のスリットが体の左右の後方位置になるので座ったときにお腹あたりの布が前方に引っ張られることがなく、窮屈さを感じることがない。
【００１７】
脇に挟み込んだ布地にポケット、タオルかけ用紐を取り付けたので便利でかつ実用的で、元来作業着として着用する作務衣としての機能をさらに向上させたものとなっている。すなわち、通常前身頃にポケットが設けられていると、前傾姿勢になったときにポケットが前に垂れて邪魔になったり、ポケット収納物が落下したりするが、本願の作務衣ではこれらの欠点がない。
【００１８】
作務衣の主要な構成部材の型紙は従来の作務衣のものを使用し、脇に挟み込む布地の型紙は本願発明の形状を基本とし、使用者の所望に合わせて適宜変更して作成することができるのでオーダーメードに近い作務衣を簡易に作成することができる。
【００１９】
また、前身頃と後身頃の縫着線、袖の縫着線に合わせて布地を挿入しているため、この布地を取り換えることで体形の変化に対応することができる。さらに、手持ちの市販品の作務衣をリフォームすることも容易である。
【図面の簡単な説明】
【００２０】
【図１】本願発明に係る作務衣の正面図。
【図２】ａ    作務衣の左側面図。
【００２１】
ｂ    作務衣の右側面図。
【図３】脇布を挟み込んだ袖の底面図。
【発明を実施するための形態】
【００２２】
以下、本願発明の最適な実施形態について図面を参照しながら説明する。
【００２３】
図１が本願発明に係る作務衣の正面図である。作務衣は一般的に下前身頃２と上前身頃３、後身頃４、両袖５、６及び衿７から構成されており、本願発明に係る作務衣においても基本的な構成要素は同じであり、正面及び背面（図示せず）から見た状態すなわち、外観は従来の作務衣と異なるところがない。従って、それぞれの構成要素の作成にあたっては従来の型紙を使用することができる。
【００２４】
下前身頃２の脇付近に結び紐８の基端部、衿先７ａ付近に結び紐９の基端部を取り付け、またこれに対応させて作務衣内側であって、上前身頃脇付近に結び紐１１の基端部、衿先７ｂ付近に結び紐１０の基端部を取り付け、内外の結び紐８-９、及び１０−１１を結び合わせて着用するものである。
【００２５】
本願発明に係る作務衣では前身頃２と後身頃４を縫い合わせる際に左右の脇に布地を挿入し、袖下を縫い合わせる際に布地を挿入して縫着するのである。
【００２６】
図２ａは布地を挿入した本願発明に係る作務衣の左側面図、図２ｂは同、右側面図である。この実施形態では、身頃脇に挿入する布地と袖下に挿入する布地を連設しているが、装着する人の体形に合わせて別々に挿入してもかまわない。
【００２７】
左側面図には、下方にポケット１４を形成した身頃用布地１２に連設した袖用布地１６及び左袖口１８が表示されており、右側面図の身頃用布地１３には、下方にタオルや手ぬぐいを係止する紐１５が架け渡されており、続いて袖用布地１７及び右袖口１９が表示されている。
【００２８】
この実施形態では腹部が前方へ出っ張っている肥満体形の人用の作務衣を表示している。左右の脇に挟み込む布地１２、１３は、上方に向けて先細りとなる台形形状となっている。この台形形状の下底及び上底幅を適宜変更することで、脇に挟み込む布地の面積を変えて着用者の肥満の度合いに応じた立体形状とすることができる。全体的に大柄、すなわち、腹部も胸部も大きく体の厚みが大きい人は身頃に挟み込む布地の形状を長方形状にするとより体形に添う作務衣が完成する。
【００２９】
また、女性等胸部が大きい人用には、逆に上方に向けて広がった台形形状の布地を前身頃と後身頃の脇部に挟み込むと胸が圧迫されず、また衿元がはだけることがなく美しく作務衣を装着することができるのである。
【００３０】
この実施形態では、前述のとおり左の身頃用布地の下方にポケット１４を取り付けている。通常ポケットは前身頃に取り付けられている場合が多いが、前かがみになった時にポケットの中身が落下したり、ポケットの中身が重いと必要以上に垂れ下がったりして作業の邪魔になることがあった。本願ではポケットを体側の布地に形成することでこのような欠点を解消するものである。
【００３１】
同様に、右の身頃用布地１３の下方には紐１５を架け渡してタオルや手ぬぐいなどを係止できるようにすることで作業着としての作務衣の機能性がより向上するのである。一方、作業中は係止したタオル等が邪魔になることがない。
【００３２】
また、内側に取り付ける結び紐１１、８を脇に挟み込む布地と前身頃に挟み込んで取り付けるため一般的な取り付け位置（脇中心）よりも前方に紐が位置することになり、手が届きやすく紐が結びやすい。
【００３３】
肥満体形の人は出っ張ったお腹の前から手をまわしてさらに脇まで手を伸ばしにくいこ
とが多く、特に内側に取り付けた紐を結ぶのに手こずっていたため、紐の取り付け位置が体の前側にくると装着しやすいのである。
【００３４】
さらに、従来の作務衣も前身頃と後身頃は裾にスリットが設けられているが、本願では、このスリット２０を脇に挟み込む布地と後身頃との間に形成する。従来の作務衣は体の脇の中心部にスリットが位置するが本願では後方に位置するため、腹部が出っ張った肥満体形の人にとっては座ったときに前身頃が引っ張られることによる窮屈を感じることが少なくなるのである。
【００３５】
作務衣の袖は布を筒状にして脇側を縫い合わせて成るが、本願ではその縫い目に布地１６、１７を挟み込んで袖５−６を形成するのである。当該布地の形状は袖口１８、１９まで同一幅の略長方形状であっても良いし（図３）、袖口を絞る場合は、袖口方向に向けて先細りとなる台形状であってもよい。
【産業上の利用可能性】
【００３６】
本願は、作務衣、特に肥満体形の人に適した作務衣に利用可能である
【符号の説明】
【００３７】
１、作務衣                    ２、下前身頃                ３、上前身頃
４、後身頃                    ５、右袖                    ６、左袖
７、衿                        ８、９、結び紐              １０、１１、内側結び紐１２、左身頃用布地            １３、右身頃用布地          １４、ポケット
１５、タオル掛け紐             １６、左袖用布地           １７、右袖用布地
１８、左袖口                   １９、右袖口
【図１】
2019194380.tif 000003
【図２】
2019194380.tif 000004
【図３】
2019194380.tif 000005
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
作務衣上衣における前身頃と後見頃の間の体側部に挟み込む体側用布地と、
作務衣上衣における袖下に挟み込む袖用布地を連設した、長方形状布地を備え、
着用時に前記長方形状布地が前後方向から見えない構造であることを特徴とする肥満体型用作務衣上衣。
【請求項２】
作務衣上衣における前身頃と後見頃の間の体側部に挟み込む体側用布地と、
作務衣上衣における袖下に挟み込む袖用布地を連設した、台形状布地を備え、
着用時に前記台形状布地が前後方向から見えない構造であることを特徴とする肥満体型用作務衣上衣。
【請求項３】
体側用布地にポケットまたはタオル掛け用紐、あるいはその両方が取り付けられた請求項１又は２記載の作務衣上衣。
【請求項４】
裾のスリットを体側用布地と後見頃の間に設けたこと特徴とする請求項１ないし３のいずれかに記載の作務衣の上衣。
【手続補正書】
【提出日】令和1年6月13日(2019.6.13)
【手続補正１】
【補正対象書類名】明細書
【補正対象項目名】００２５
【補正方法】変更
【補正の内容】
【００２５】
本願発明に係る作務衣では前身頃２、３と後身頃４を縫い合わせる際に左右の脇に身頃用布地を挿入し、袖下を縫い合わせる際に袖用布地を挿入して縫着するのである。
【手続補正２】
【補正対象書類名】明細書
【補正対象項目名】００２６
【補正方法】変更
【補正の内容】
【００２６】
図２ａは布地を挿入した本願発明に係る作務衣の左側面図、図２ｂは同、右側面図である。この実施形態では、身頃脇に挿入する身頃用布地と、袖下に挿入する袖用布地を連設しているが、装着する人の体形に合わせて別々に挿入してもかまわない。
【手続補正３】
【補正対象書類名】明細書
【補正対象項目名】００２７
【補正方法】変更
【補正の内容】
【００２７】
左側面図には、下方にポケット１４を形成した身頃用布地１２に連設した袖用布地１６及び左袖口１９が表示されており、右側面図の身頃用布地１３には、下方にタオルや手ぬぐいを係止する紐が架け渡されており、続いて袖用布地１７及び右袖口１８が表示されている。
【手続補正４】
【補正対象書類名】明細書
【補正対象項目名】００２８
【補正方法】変更
【補正の内容】
【００２８】
この実施形態では腹部が前方へ出っ張っている肥満体形の人用の作務衣を表示している。左右の脇に挟み込む身頃用布地１２、１３は、上方に向けて先細りとなる台形形状となっている。この台形形状の下底及び上底幅を適宜変更することで、脇に挟み込む布地の面積を変えて着用者の肥満の度合いに応じた立体形状とすることができる。全体的に大柄、すなわち、腹部も胸部も大きく体の厚みが大きい人は身頃に挟み込む布地の形状を長方形状にするとより体形に添う作務衣が完成する。
【手続補正５】
【補正対象書類名】明細書
【補正対象項目名】００３５
【補正方法】変更
【補正の内容】
【００３５】
作務衣の袖は布を筒状にして脇側を縫い合わせて成るが、本願ではその縫い目に袖用布地１６、１７を挟み込んで袖５−６を形成するのである。当該布地の形状は、袖口１８、１９まで同一幅の略長方形状であってもよいし（図３）、袖口を絞る場合は、袖口方向に向けて先細りと成る台形状であってもよい。
【手続補正６】
【補正対象書類名】明細書
【補正対象項目名】００３７
【補正方法】変更
【補正の内容】
【００３７】
１、作務衣                ２、下前見頃                ３、上前身頃
４、後見頃                ５、右袖                    ６、左袖
７、衿                    ８、９、結び紐              １０、１１、内側結び紐
１２、左見頃用布地       １３、右見頃用布地          １４、ポケット
１５、タオル掛け紐        １６、左袖用布地             １７、右袖用布地
１８、右袖口              １９、左袖口
【手続補正７】
【補正対象書類名】図面
【補正対象項目名】図２
【補正方法】変更
【補正の内容】
【図２】
2019194380.tif 000006